(57)【要約】【課題】空気調和機の運転制御を簡易に実現しユーザの利便性を向上させることが可能な空気調和機を提供する。【解決手段】少なくとも１つの携帯端末装置と通信可能に構成された空気調和機が提供される。空気調和機は、空気調和機の運転を制御する運転制御部と、運転の開始を示す開始情報に関連付けられた携帯端末装置を識別するための端末情報と、運転の終了を示す終了情報に関連付けられた携帯端末装置を識別するための端末情報とを格納するための端末情報格納部と、空気調和機と通信可能な１つ以上の携帯端末装置を検出する検出部とを含む。運転制御部は、検出部によって検出された携帯端末装置の端末情報に基づいて、空気調和機の運転を制御する。【選択図】図１
2014086944.tif 000002
【特許請求の範囲】
【請求項１】
少なくとも１つの携帯端末装置と通信可能に構成された空気調和機であって、
前記空気調和機の運転を制御する運転制御部と、
前記運転の開始を示す開始情報に関連付けられた携帯端末装置を識別するための端末情報と、前記運転の終了を示す終了情報に関連付けられた携帯端末装置を識別するための端末情報とを格納するための端末情報格納部と、
前記空気調和機と通信可能な１つ以上の携帯端末装置を検出する検出部とを備え、
前記運転制御部は、前記検出部によって検出された携帯端末装置の端末情報に基づいて、前記空気調和機の運転を制御する、空気調和機。
【請求項２】
前記運転制御部は、前記開始情報に関連付けられた携帯端末装置が検出された場合に、前記空気調和機の運転を開始し、前記終了情報に関連付けられた全ての携帯端末装置が検出されなくなった場合に、前記空気調和機の運転を終了する、請求項１に記載の空気調和機。
【請求項３】
前記空気調和機が設置された室内の環境を示す環境情報を取得するための取得部と、
前記取得された環境情報が、予め定められた環境条件を満たすか否かを判断する判断部とをさらに備え、
前記運転制御部は、前記環境条件を満たさないとの判断結果に基づいて、前記空気調和機の運転を開始する、請求項１または２に記載の空気調和機。
【請求項４】
空気調和機と、携帯端末装置とを含む空気調和システムであって、
前記空気調和機と前記携帯端末装置とは、互いに通信可能に構成されており、
前記携帯端末装置は、
前記携帯端末装置のユーザによって選定された基地局を示す基地局情報を格納するための基地局情報格納部と、
前記空気調和機の運転を制御するための制御情報に関連付けられた空気調和機の識別情報を格納するための情報格納部と、
前記基地局情報に基づいて、前記選定された基地局を検出するための基地局検出部と、
前記選定された基地局が検出された場合に、前記関連付けられた前記空気調和機に前記制御情報を送信する送信制御部とを備え、
前記空気調和機は、
前記制御情報を受信するための受信部と、
前記受信した制御情報に基づいて、前記空気調和機の運転を制御する運転制御部とを備える、空気調和システム。
【請求項５】
前記送信制御部は、前記選定された基地局が予め定められた順に検出されたと判断した場合に、前記空気調和機の運転を開始させる制御情報を前記空気調和機に送信する、請求項４に記載の空気調和システム。
【発明の詳細な説明】
【技術分野】
【０００１】
本発明は、空気調和機、および空気調和システムに関する。
【背景技術】
【０００２】
近年、インターネットなどのネットワークを利用して、外出先から空気調和機などの住宅機器を遠隔制御したり、これらの住宅機器の状態を監視したりする遠隔制御システムが知られている。また、携帯端末装置を用いて住宅外部からこのような住宅機器を監視する以下のような技術が開示されている。
【０００３】
例えば、特開２００２−３１４６９６号公報（特許文献１）には、住宅内又は住宅周囲の監視を行う住宅監視システムが開示されている。住宅監視システムは、住宅内又は住宅周囲の監視情報を取得する情報取得手段と、監視情報が入力されるとともに、ネットワークに接続可能な監視制御装置と、監視制御装置とネットワークを介して接続され、監視情報の確認が可能な携帯端末機とを有する。監視制御装置は、近距離無線通信により、住宅居住者の携帯物品の存在を検出する携帯物品検出部を含み、携帯物品検出部の検出出力に応じて、携帯端末機による監視情報の確認を制限する。
【先行技術文献】
【特許文献】
【０００４】
【特許文献１】特開２００２−３１４６９６号公報
【発明の概要】
【発明が解決しようとする課題】
【０００５】
しかしながら、上述の技術では、携帯端末機を利用して、ネットワークを介して監視制御装置に対して携帯端末機による監視情報の確認を制限しているものの、住宅機器を制御する際にはユーザは、携帯端末機に対して住宅機器を制御するための操作を行なう必要が生じる。ユーザにとっては、このような操作が手間になる場合も多かった。
【０００６】
本発明は、上記のような問題点を解決するためになされたものであって、空気調和機の運転制御を簡易に実現しユーザの利便性を向上させることが可能な空気調和機および空気調和システムを提供することを目的とする。
【課題を解決するための手段】
【０００７】
ある実施の形態に従うと、少なくとも１つの携帯端末装置と通信可能に構成された空気調和機が提供される。空気調和機は、空気調和機の運転を制御する運転制御部と、運転の開始を示す開始情報に関連付けられた携帯端末装置を識別するための端末情報と、運転の終了を示す終了情報に関連付けられた携帯端末装置を識別するための端末情報とを格納するための端末情報格納部と、空気調和機と通信可能な１つ以上の携帯端末装置を検出する検出部とを含む。運転制御部は、検出部によって検出された携帯端末装置の端末情報に基づいて、空気調和機の運転を制御する。
【０００８】
好ましくは、運転制御部は、開始情報に関連付けられた携帯端末装置が検出された場合に、空気調和機の運転を開始し、終了情報に関連付けられた全ての携帯端末装置が検出されなくなった場合に、空気調和機の運転を終了する。
【０００９】
好ましくは、空気調和機が設置された室内の環境を示す環境情報を取得するための取得部と、取得された環境情報が、予め定められた環境条件を満たすか否かを判断する判断部とをさらに含む。運転制御部は、環境条件を満たさないとの判断結果に基づいて、空気調和機の運転を開始する。
【００１０】
好ましくは、検出部は、一定時間ごとに、１つ以上の携帯端末装置を検出するための検索処理を実行する。
【００１１】
別の実施の形態に従うと、少なくとも１つの携帯端末装置と通信可能に構成された空気調和機の制御方法が提供される。空気調和機は、空気調和機の運転の開始を示す開始情報に関連付けられた携帯端末装置を識別するための端末情報と、運転の終了を示す終了情報に関連付けられた携帯端末装置を識別するための端末情報とを格納するためのメモリを含む。空気調和機の制御方法は、空気調和機と通信可能な１つ以上の携帯端末装置を検出するステップと、検出された携帯端末装置の端末情報に基づいて、空気調和機の運転を制御するステップとを含む。
【００１２】
さらに別の実施の形態に従うと、少なくとも１つの携帯端末装置と通信可能に構成された空気調和機のプロセッサに実行させる制御プログラムが提供される。空気調和機は、空気調和機の運転の開始を示す開始情報に関連付けられた携帯端末装置を識別するための端末情報と、運転の終了を示す終了情報に関連付けられた携帯端末装置を識別するための端末情報とを格納するためのメモリを含む。制御プログラムは、プロセッサに、空気調和機と通信可能な１つ以上の携帯端末装置を検出するステップと、検出された携帯端末装置の端末情報に基づいて、空気調和機の運転を制御するステップとを実行させる。
【００１３】
さらに別の実施の形態に従うと、空気調和機と、携帯端末装置とを含む空気調和システムが提供される。空気調和機と携帯端末装置とは、互いに通信可能に構成されている。携帯端末装置は、携帯端末装置のユーザによって選定された基地局を示す基地局情報を格納するための基地局情報格納部と、空気調和機の運転を制御するための制御情報に関連付けられた空気調和機の識別情報を格納するための情報格納部と、基地局情報に基づいて、選定された基地局を検出するための基地局検出部と、選定された基地局が検出された場合に、関連付けられた空気調和機に制御情報を送信する送信制御部とを含む。空気調和機は、制御情報を受信するための受信部と、受信した制御情報に基づいて、空気調和機の運転を制御する運転制御部とを含む。
【００１４】
好ましくは、空気調和機は、空気調和機に対して運転を開始／終了させる制御情報を送信する携帯端末装置を識別するための端末情報を格納するための端末情報格納部をさらに含む。運転制御部は、端末情報に基づいて、空気調和機に対して運転を終了させる制御情報を送信するように登録された全ての携帯端末装置から運転を終了させる制御情報を受信したと判断した場合に、運転を終了する。
【００１５】
好ましくは、携帯端末装置は、携帯端末装置の位置を示す位置情報を取得する位置情報取得部と、位置情報に基づいて、予め定められた位置に携帯端末装置が存在するか否かを判断する位置判断部とをさらに含む。送信制御部は、携帯端末装置が予め定められた位置に存在しないとの判断結果に基づいて、運転を終了させる制御情報を空気調和機に送信する。
【００１６】
好ましくは、送信制御部は、選定された基地局が予め定められた順に検出されたと判断した場合に、空気調和機の運転を開始させる制御情報を空気調和機に送信する。
【発明の効果】
【００１７】
ある局面では、空気調和機の運転制御を簡易に実現しユーザの利便性を向上させることが可能となる。
【図面の簡単な説明】
【００１８】
【図１】実施の形態１に従う空気調和システムの全体の構成を概略的に示す図である。
【図２】実施の形態１に従う空気調和機に格納された情報テーブルを説明するための図である。
【図３】実施の形態１に従う空気調和機のハードウェア構成を示すブロック図である。
【図４】実施の形態１に従う携帯端末装置のハードウェア構成を示すブロック図である。
【図５】実施の形態１に従う空気調和機の機能構成を示すブロック図である。
【図６】実施の形態１に従う空気調和機が実行する運転制御の処理手順を示すフローチャートである。
【図７】実施の形態２に従う空気調和システムの全体の構成を概略的に示す図である。
【図８】実施の形態２に従う携帯端末装置に格納された情報テーブルを説明するための図である。
【図９】実施の形態２の変形例に従う空気調和システムの動作概要を説明するための図である。
【図１０】実施の形態２に従う携帯端末装置の機能構成を示すブロック図である。
【図１１】実施の形態２に従う空気調和機の機能構成を示すブロック図である。
【図１２】実施の形態２に従う空気調和システムにおいて実行されるエアコンの運転の開始処理手順を示すフローチャートである。
【図１３】実施の形態２に従う空気調和システムにおいて実行されるエアコンの運転の終了処理手順を示すフローチャートである。
【図１４】実施の形態２の変形例に従う空気調和システムにおいて実行されるエアコンの運転制御処理を示すフローチャートである。
【発明を実施するための形態】
【００１９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２０】
［１．実施の形態１]
＜Ａ．システム概要＞
（ａ１．システムの全体構成）
図１は、実施の形態１に従う空気調和システム１の全体の構成を概略的に示す図である。
【００２１】
図１を参照して、空気調和システム１は、空気調和機１０Ａ，１０Ｂ，１０Ｃ（以下、これらを空気調和機１０とも総称する。）と、通信装置２０と、携帯端末装置３０Ａ，３０Ｂ，３０Ｃ（以下、これらを携帯端末装置３０とも総称する。）とを含む。
【００２２】
空気調和機（以下、「エアコン」とも称する。）１０Ａ，１０Ｂ，１０Ｃは、それぞれ宅内のリビング、寝室、子供部屋に設置されている。宅内とは、たとえば、ユーザの自宅内、会社内等である。
【００２３】
通信装置２０は、例えば、ルーターであり、リビングに設置されている。通信装置２０は、無線技術を利用して、外部装置とデータ通信を行なう機能を有する。より具体的には、通信装置２０は、無線ＬＡＮ（Local  Area  Network）に基づく技術により、宅内のネットワーク（ホームネットワーク）を実現しており、ホームネットワークに接続される装置と、ホームネットワークの外側のネットワークとを中継する。なお、通信装置２０は、ルーターに限定されることなく、無線技術を利用して、外部装置とデータ通信を行なう機能を有する装置であればどのような装置であってもよい。なお、無線技術は、無線ＬＡＮに基づく技術に限定されることなく、その他の無線技術であってもよい。
【００２４】
通信装置２０は、無線通信により、エアコン１０および携帯端末装置３０とデータ通信を行なう。すなわち、エアコン１０および携帯端末装置３０は、通信装置２０を介して互いに通信可能に構成されている。より具体的には、いずれか一方の装置が、通信装置２０の通信圏外に存在する場合には、エアコン１０と携帯端末装置３０とは通信不能となる。ここで、エアコン１０は、宅内の各部屋に設置されていることから、基本的には通信装置２０の通信圏内に存在する。しかしながら、携帯端末装置３０は、一般的にはユーザなどにより携帯されるため、通信装置２０の通信圏外に出てしまう場合もある。そのため、エアコン１０と携帯端末装置３０とは、携帯端末装置３０が通信装置２０の通信圏内に存在するときに、互いに通信可能な状態となる。
【００２５】
なお、通信装置２０は、エアコン１０に対しては、有線技術を利用してデータ通信を行なってもよい。有線技術は、たとえば、イーサネット（登録商標）に基づく技術である。なお、有線技術は、イーサネット（登録商標）に基づく技術に限定されることなく、ＰＬＣ（Power  line  communication）に基づく技術、その他の有線技術であってもよい。
【００２６】
（ａ２．システムの動作概要）
次に、空気調和システム１の動作概要について説明する。概略として、エアコン１０は、通信可能な携帯端末装置３０を検出する（携帯端末装置３０が通信装置２０に接続されたことを検出する）と、検出された携帯端末装置３０の端末情報に基づいて、冷房または暖房などの空調運転を開始／終了する。
【００２７】
エアコン１０は、図２のような情報テーブルを自身のメモリに格納している。
図２は、実施の形態１に従う空気調和機１０に格納された情報テーブル８１０を説明するための図である。
【００２８】
図２を参照して、エアコン１０Ａのメモリ１０４Ａは、情報テーブル８１０Ａを格納しており、エアコン１０Ｂのメモリ１０４Ｂは、情報テーブル８１０Ｂを格納しており、エアコン１０Ｃのメモリ１０４Ｃは、情報テーブル８１０Ｃを格納している。これらの情報は、例えば、携帯端末装置３０において、登録用のユーザインターフェイス画面においてユーザからの指示を受け付けることで登録（格納）される。
【００２９】
ここで、情報テーブル８１０Ａでは、エアコン１０Ａの運転の開始を示す開始情報（図２の「ＯＮ」）に、携帯端末装置３０Ａを識別するための端末情報（図２の「端末Ａ」）、および携帯端末装置３０Ｂの端末情報（図２の「端末Ｂ」）が関連付けられており、エアコン１０Ａの運転の終了を示す終了情報（図２の「ＯＦＦ」）に、「端末Ａ」、「端末Ｂ」および携帯端末装置３０Ｃの端末情報（図２の「端末Ｃ」）が関連付けられていることを示している。すなわち、情報テーブル８１０Ａでは、エアコン１０Ａにおける開始情報は、携帯端末装置３０Ａおよび３０Ｂに関連付けられており、終了情報は、携帯端末装置３０Ａ、３０Ｂおよび３０Ｃに関連付けられている。
【００３０】
ここで、エアコン１０Ａを例として、システムの動作概要について説明する。エアコン１０Ａは、開始情報に関連付けられた携帯端末装置３０Ａまたは３０Ｂを検出すると、自動的に運転を開始してリビングの室内環境に適した態様で冷房や暖房の送風を行なう。また、エアコン１０Ａは、運転を開始している場合に、終了情報に関連付けられた携帯端末装置３０Ａ、３０Ｂおよび３０Ｃの全てを検出できないと判断すると、自動的に運転を終了する。これは、各々の携帯端末装置３０のユーザが、外出するなどにより宅内に存在しないことが想定されるためである。
【００３１】
情報テーブル８１０Ｂでは、開始情報に関連付けられている携帯端末装置３０は存在せず、終了情報に携帯端末装置３０Ａおよび３０Ｂが関連付けられていることを示している。エアコンＢでは、開始信号に関連付けられている携帯端末装置３０は存在しないため、寝室に設置されたエアコン１０Ｂが自動的に運転を開始することはない。
【００３２】
情報テーブル８１０Ｃでは、開始情報および終了情報に携帯端末装置３０Ｃのみが関連付けられていることを示している。子供部屋のエアコン１０Ｃの自動運転は、携帯端末装置３０Ｃにのみ依存していることがわかる。
【００３３】
エアコン１０には、室内外の温度、湿度などの環境条件を測定するための各種センサが設けられている。エアコン１０は、当該環境条件に応じて、予め定められた環境条件になるように冷房運転、暖房運転などを行なう。
【００３４】
上記によると、携帯端末装置３０のユーザは、自身の携帯端末装置３０と、自動的に運転を開始／終了させたいエアコン１０とを予め関連付けて登録しておけば、ユーザが宅内に入るなどによりエアコン１０が携帯端末装置３０を検出した場合には、自動的に運転が開始されるため、操作の手間を省くことができる。また、エアコン１０は、終了信号に関連付けられた携帯端末装置３０が全て検出されなくなった場合には、自動的に運転が終了されるため、消し忘れによる不経済な運転を防止することができる。
【００３５】
＜Ｂ．ハードウェア構成＞
次に、空気調和機１０および携帯端末装置３０のハードウェア構成について説明する。
【００３６】
（ｂ１．空気調和機）
図３は、実施の形態１に従う空気調和機１０のハードウェア構成を示すブロック図である。
【００３７】
図３を参照して、空気調和機１０は、主たる構成要素として、ＣＰＵ１０２と、メモリ１０４と、タイマー１０６と、入力装置１０８と、通信インターフェイス（Ｉ／Ｆ）１１０と、外気の温度を測定するための外気温度センサ１１２と、室内の温度を測定するための室内温度センサ１１４と、室内の湿度を測定するための湿度センサ１１６と、冷房や暖房の送風を行なうためのルーバ部１１８と、コンプレッサやファンなどを含んだ室外機１２２と、室外機１２２と通信を行ない室外機１２２の制御や室外機１２２の情報をやり取りするための室外機通信部１２０とを含む。
【００３８】
ＣＰＵ１０２は、メモリ１０４に格納されたプログラムを読み出して実行することで、エアコン１０の各部の動作を制御する。より詳細にはＣＰＵ１０２は、当該プログラムを実行することによって、後述するエアコン１０の処理（ステップ）の各々を実現する。ＣＰＵ１０２は、例えば、マイクロプロセッサ（Microprocessor）である。なお、当該ハードウェアは、ＣＰＵ以外のＦＰＧＡ（Field  Programmable  Gate  Array）、ＡＳＩＣ（Application  Specific  Integrated  Circuit）およびその他の演算機能を有する回路などであってもよい。
【００３９】
メモリ１０４は、ＲＡＭ（Random  Access  Memory）、ＲＯＭ（Read-Only  Memory）、フラッシュメモリなどによって実現される。メモリ１０４は、ＣＰＵ１０２によって実行されるプログラム、データ、設定情報などを記憶する。
【００４０】
タイマー１０６は、時刻を計時する部位であり、計時した時刻に応じた信号をＣＰＵ１０２に送出する。ＣＰＵ１０２は、当該信号に基づき、たとえば一定時間間隔で予め定められた処理をすることができる。
【００４１】
入力装置１０８は、リモコン信号やボタン操作などの指示を受け付けて、当該指示をＣＰＵ１０２に入力する。
【００４２】
通信インターフェイス１１０は、通信装置２０に接続することで、エアコン１０と外部装置との間で各種データをやり取りするための通信インターフェイスであり、アダプタやコネクタなどによって実現される。なお、通信方式としては、Ｂｌｕｅｔｏｏｔｈ（登録商標）、無線ＬＡＮなどによる無線通信であってもよいし、ＵＳＢ（Universal  Serial  Bus）インターフェイスなどを利用した有線通信であってもよい。
【００４３】
（ｂ２．携帯端末装置）
図４は、実施の形態１に従う携帯端末装置３０のハードウェア構成を示すブロック図である。
【００４４】
図４を参照して、携帯端末装置３０は、主たる構成要素として、ＣＰＵ３０２と、メモリ３０４と、タッチパネル３０６と、ディスプレイ３０８と、スピーカ３１０と、ボタン３１２と、メモリインターフェイス（Ｉ／Ｆ）３１４と、通信インターフェイス（Ｉ／Ｆ）３１６と、無線通信部３１８と、通信アンテナ３１９と、ＧＰＳ（Global  Positioning  System）コントローラ３２０とを含む。
【００４５】
ＣＰＵ３０２は、メモリ３０４に格納されたプログラムを読み出して実行することで、携帯端末装置３０の各部の動作を制御する。より詳細にはＣＰＵ３０２は、当該プログラムを実行することによって、後述する携帯端末装置３０の処理（ステップ）の各々を実現する。
【００４６】
メモリ３０４は、ＲＡＭ、ＲＯＭ、フラッシュメモリなどによって実現される。メモリ３０４は、ＣＰＵ３０２によって実行されるプログラム、データ、設定情報などを記憶する。
【００４７】
タッチパネル３０６は、表示部としての機能を有するディスプレイ３０８上に設けられており、抵抗膜方式、表面弾性波方式、赤外線方式、電磁誘導方式、静電容量方式などのいずれのタイプであってもよい。タッチパネル３０６は、光センサ液晶を含んでもよい。タッチパネル３０６は、所定時間毎に外部の物体によるタッチパネル３０６へのタッチ操作を検知して、タッチ座標（タッチ位置）をＣＰＵ３０２に入力する。すなわち、ＣＰＵ３０２は、タッチパネル３０６からタッチ座標を取得する。
【００４８】
スピーカ３１０は、ＣＰＵ３０２からの命令に基づいて、音声を出力する。例えば、ＣＰＵ３０２は、スピーカ３１０に音声データに基づく音声を出力させる。
【００４９】
ボタン３１２は、携帯端末装置３０の表面に配置されており、ユーザからの命令を受け付けて、当該命令をＣＰＵ３０２に入力する。ボタン３１２は、例えば、表示画面を遷移させる画面遷移ボタン、確定ボタン、キャンセルボタンなどを含む。
【００５０】
メモリインターフェイス（Ｉ／Ｆ）３１４は、外部の記憶媒体３１５からデータを読み出す。すなわち、ＣＰＵ３０２は、メモリインターフェイス３１４を介して外部の記憶媒体３１５に格納されているデータを読み出して、当該データをメモリ３０４に格納する。ＣＰＵ３０２は、メモリ３０４からデータを読み出して、メモリインターフェイス３１４を介して当該データを外部の記憶媒体３１５に格納する。
【００５１】
なお、記憶媒体３１５としては、ＣＤ（Compact  Disc）、ＤＶＤ（Digital  Versatile  Disk）、ＢＤ（Blu-ray  Disc）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、ＥＰＲＯＭ、ＥＥＰＲＯＭ（Electronically  Erasable  Programmable  Read-Only  Memory）などの、不揮発的にプログラムを格納する媒体が挙げられる。
【００５２】
通信インターフェイス（Ｉ／Ｆ）３１６は、携帯端末装置３０と外部装置との間で各種データをやり取りするための通信インターフェイスであり、アダプタやコネクタなどによって実現される。なお、通信方式としては、Ｂｌｕｅｔｏｏｔｈ（登録商標）、無線ＬＡＮなどによる無線通信である。
【００５３】
無線通信部３１８は、通信アンテナ３１９を介して信号を送受信する。すなわち、無線通信部３１８は、ＣＰＵ３０２からの通信データを通信信号に変換し、その通信信号を通信アンテナ３１９を介して送信したり、通信アンテナ３１９を介して受信した通信信号を通信データに変換し、その通信データをＣＰＵ３０２に入力したりする。これにより、携帯端末装置３０は、たとえば、第３世代移動通信システム（３Ｇ）、ＬＴＥ（Long  Term  Evolution）などの無線通信網を介してインターネットなどに接続することが可能となる。
【００５４】
ＧＰＳコントローラ３２０は、ＧＰＳ信号または所定の基地局からの位置信号（測位信号）を受信して携帯端末装置３０の位置情報を取得する。ＧＰＳコントローラ３２０は、取得した携帯端末装置３０の位置情報をＣＰＵ３０２に入力する。
【００５５】
＜Ｃ．機能構成＞
図５を参照して、実施の形態１に従う空気調和機１０の機能構成について説明する。
【００５６】
図５は、実施の形態１に従う空気調和機１０の機能構成を示すブロック図である。
ある局面では、空気調和機１０は、主たる機能構成として、検出部１５２と、運転制御部１５４と、環境情報取得部１５６と、判断部１６０とを含む。これらの機能は、基本的には、空気調和機１０のＣＰＵ１０２がメモリ１０４に格納されたプログラムを実行し、空気調和機１０の構成要素へ指令を与えることなどによって実現される。すなわち、ＣＰＵ１０２は空気調和機１０の動作全体を制御する制御部としての機能を有する。また、空気調和機１０は、メモリ１０４で実現される機能である端末情報格納部１５０と、環境条件格納部１５８とをさらに含む。なお、これらの機能構成の一部または全部はハードウェアで実現されていてもよい。
【００５７】
端末情報格納部１５０は、運転の開始を示す開始情報に関連付けられた携帯端末装置３０を識別するための端末情報と、運転の終了を示す終了情報に関連付けられた携帯端末装置３０の端末情報とを格納するように構成されている。より具体的には、端末情報格納部１５０は、図２で示したような情報テーブル８１０を格納する。これらの情報は、例えば、携帯端末装置３０から空気調和機１０に、端末情報と、当該端末情報を開始情報または終了情報のいずれに関連付けるかを示す情報とが送信されることで登録される。より具体的には、携帯端末装置３０において、タッチパネル３０６などを介したユーザの指示により端末情報を登録するためのアプリケーションが起動されると、ディスプレイ３０８に登録用のユーザインターフェイス画面が表示される。そして、携帯端末装置３０は、ユーザからの指示（端末情報を開始情報、終了情報のいずれに関連付けるかの指示）を受け付けると、上述した情報が空気調和機１０に送信されて端末情報格納部１５０に格納される。
【００５８】
環境条件格納部１５８は、ユーザが快適と判断する室内の環境条件情報（温度、湿度など）を予め格納する。当該環境条件情報は、季節、地域などによって自動的に変更されてもよい。また、当該環境条件情報は、ユーザによって任意に変更可能であってもよい。
【００５９】
検出部１５２は、空気調和機１０と通信可能な１つ以上の携帯端末装置３０を検出する。より具体的には、検出部１５２は、携帯端末装置３０が通信装置２０に接続されることにより、空気調和機１０と通信可能になった携帯端末装置３０を検出する。検出部１５２は、当該検出の際に携帯端末装置３０の端末情報を取得して、当該端末情報を検出結果として運転制御部１５４に送出する。検出部１５２は、一定時間ごとに、１つ以上の携帯端末装置を検出するための検索処理を実行する。
【００６０】
運転制御部１５４は、空気調和機１０の運転を制御する。より具体的には、運転制御部１５４は、検出部１５２によって検出された携帯端末装置３０の端末情報に基づいて、空気調和機１０の運転を制御する。さらに詳細には、運転制御部１５４は、端末情報格納部１５０を参照して、開始情報に関連付けられた携帯端末装置３０が検出部１５２により検出されたと判断した場合に、空気調和機１０の運転を開始する。また、運転制御部１５４は、終了情報に関連付けられた全ての携帯端末装置３０が検出部１５２により検出されなくなったと判断した場合に、空気調和機１０の運転を終了する。
【００６１】
環境情報取得部１５６は、空気調和機１０が設置された室内の環境を示す環境情報を取得する。より具体的には、環境情報取得部１５６は、外気温度センサ１１２から外気温度情報を、室内温度センサ１１４から当該室内の温度情報を、湿度センサ１１６から当該室内の湿度情報を取得する。
【００６２】
判断部１６０は、取得された環境情報が、予め定められた環境条件を満たすか否かを判断する。より具体的には、判断部１６０は、当該環境情報が環境条件格納部１５８に格納された環境条件を満たすか否かを判断する。
【００６３】
運転制御部１５４は、環境条件を満たさないとの判断部１６０の判断結果に基づいて、空気調和機１０の運転を開始する。このとき、運転制御部１５４は、判断部１６０から当該判断結果とともに、環境情報および環境条件を示す情報を受け取って、これらの情報に基づいて運転を制御してもよい。例えば、運転制御部１５４は、環境情報と環境条件を示す情報とから快適とされる温度よりも実際の室内の温度が高いと判断した場合には、冷房運転を実行し、一方、快適される温度よりも室内の温度が低いと判断した場合には、暖房運転を実行する。また、運転制御部１５４は、環境情報と環境条件情報とに基づいて、ルーバ部１１８の駆動を制御して、風量、風向などの調整などを行なってもよい。
【００６４】
＜Ｄ．処理手順＞
次に、空気調和機１０が実行する運転制御の処理手順について説明する。
【００６５】
図６は、実施の形態１に従う空気調和機１０が実行する運転制御の処理手順を示すフローチャートである。以下の各ステップは、ＣＰＵ１０２がメモリ１０４に格納されたプログラムを実行することによって実現される。なお、空気調和機１０は、初期状態においては、運転を開始していないものとする。
【００６６】
図６を参照して、ＣＰＵ１０２は、携帯端末装置３０の検索処理に基づいて、空気調和機１０と通信可能な１つ以上の携帯端末装置３０を検出したか否かを判断する（ステップＳ１０）。より具体的には、ＣＰＵ１０２は、携帯端末装置３０が通信装置２０に接続されて、空気調和機１０と通信可能となったか否かを判断する。また、ＣＰＵ１０２は、一定時間ごとに携帯端末装置３０を検索することで、当該検出処理を実行する。
【００６７】
携帯端末装置３０が検出されない場合には（ステップＳ１０においてＮＯ）、ＣＰＵ１０２は、ステップＳ１０の処理を繰り返す。これに対して、携帯端末装置３０が検出された場合には（ステップＳ１０においてＹＥＳ）、ＣＰＵ１０２は、検出された携帯端末装置３０から端末情報を取得して、メモリ１０４を参照することで、検出された携帯端末装置３０が開始情報（ＯＮ信号）に関連付けられた携帯端末装置３０か否かを判断する（ステップＳ１２）。
【００６８】
検出された携帯端末装置３０が開始情報に関連付けられていない場合には（ステップＳ１２においてＮＯ）、ＣＰＵ１０２は、ステップＳ１０からの処理を繰り返す。なお、これは、検出された携帯端末装置３０が終了情報に関連付けられていた場合、または検出された携帯端末装置３０の端末情報がメモリ１０４に登録（格納）されていなかった場合である。これに対して、検出された携帯端末装置３０が開始情報に関連付けられている場合には（ステップＳ１２においてＹＥＳ）、ＣＰＵ１０２は、室内の環境が予め定められた環境条件を満たすか否かを判断する（ステップＳ１４）。より具体的には、ＣＰＵ１０２は、外気温度センサ１１２、室内温度センサ１１４、および湿度センサ１１６から取得した環境情報（室内温度、外気温度、室内湿度）と、メモリ１０４に格納された環境条件情報とを比較して、当該判断を行なう。
【００６９】
環境条件を満たす場合には（ステップＳ１４においてＹＥＳ）、ＣＰＵ１０２は、ステップＳ１０の処理に戻る。これに対して、環境条件を満たさない場合には（ステップＳ１４においてＮＯ）、ＣＰＵ１０２は、空気調和機１０の運転を開始する（ステップＳ１６）。このとき、ＣＰＵ１０２は、環境情報と環境条件情報とに基づいて、好ましい運転形態（冷房運転、暖房運転など）にて運転を開始する。
【００７０】
次に、ＣＰＵ１０２は、終了情報（ＯＦＦ信号）に関連付けられた少なくとも１つの携帯端末装置３０を検出しているか否かを判断する（ステップＳ１８）。ＣＰＵ１０２は、終了情報に関連付けられた１以上の携帯端末装置３０を検出している場合には（ステップＳ１８においてＹＥＳ）、ステップＳ１８の処理を繰り返す。これに対して、ＣＰＵ１０２は、終了情報に関連付けられた１以上の携帯端末装置３０を検出していない（すなわち、終了情報に関連付けられた全ての携帯端末装置３０を検出していない）場合には（ステップＳ１８においてＮＯ）、タイマー１０６からの信号に基づいて一定時間が経過したか否かを判断する（ステップＳ２０）。
【００７１】
一定時間が経過していない場合には（ステップＳ２０においてＮＯ）、ＣＰＵ１０２は、ステップＳ２０の処理を繰り返す。これに対して、一定時間が経過した場合には（ステップＳ２０においてＹＥＳ）、ＣＰＵ１０２は、空気調和機１０の運転を終了する（ステップＳ２２）。より具体的には、ＣＰＵ１０２は、冷房運転、暖房運転、または送風運転を停止する。そして、処理は、ステップＳ１０に戻る。
【００７２】
＜Ｅ．利点＞
実施の形態１によると、携帯端末装置を携帯しているユーザは、宅内に入るなどすると、当該携帯端末装置に関連付けられたエアコンが自動的に運転を開始するため、エアコンの開始操作の手間を省くことができる。また、ユーザが外出すると携帯端末装置に関連付けられたエアコンが自動的に運転を終了するため、終了操作の手間を省けるとともに消し忘れによる不経済な運転を防止することもできる。
【００７３】
［２．実施の形態２］
実施の形態１では、携帯端末装置３０が、空気調和機１０が設置されている宅内に比較的近い距離に存在する場合におけるシステムについて説明した。実施の形態２では、携帯端末装置３０が、宅内から遠距離に存在する場合におけるシステムについて説明する。
【００７４】
＜Ａ．システム概要＞
（ａ１．システムの全体構成）
図７は、実施の形態２に従う空気調和システム２の全体の構成を概略的に示す図である。
【００７５】
図７を参照して、空気調和システム２は、空気調和機１０と、通信装置２０と、携帯端末装置３０と、近距離無線基地局（ＡＰ）４０Ａ，４０Ｂ，４０Ｃ（以下、近距離無線基地局４０とも総称する。）と、遠距離無線基地局５０と、インターネット６０とを含む。
【００７６】
エアコン１０Ａ、１０Ｂ、１０Ｃは、それぞれ宅内のリビング、寝室、子供部屋に設置され、通信装置２０は、リビングに設置されている。
【００７７】
通信装置２０は、宅内のネットワークであるホームネットワークに接続されるエアコン１０と、ホームネットワークの外側のネットワーク、例えば、インターネット６０とを中継する。
【００７８】
近距離無線基地局４０は、例えば、公衆無線ＬＡＮアクセスポイントであり、ＩＥＥＥ  ８０２．１１ｎ等の通信方式に対応している。近距離無線基地局４０は、携帯端末装置３０と無線通信し、携帯端末装置３０のインターネット６０への接続を可能にする。また、近距離無線基地局４０は、典型的には、大学、病院、図書館などの公共施設、あるいは鉄道駅、空港、飲食店などの商業施設といった場所に設置されている。
【００７９】
遠距離無線基地局５０は、移動体通信システムを構成する無線基地局である。遠距離無線基地局は、例えば、３Ｇ、ＬＴＥ等の通信方式に対応し、携帯端末装置３０と無線通信し、携帯端末装置３０のインターネット６０への接続を可能にする。
【００８０】
（ａ２．システムの動作概要）
次に、空気調和システム２の動作概要について説明する。概略として、携帯端末装置３０は、ユーザによって選定された特定の近距離無線基地局４０を検出すると、空気調和機１０に対して、空気調和機１０の運転を制御するための制御情報を送信する。空気調和機１０は、当該送信された制御情報に基づいて、冷房または暖房などの空調運転を開始／終了する。
【００８１】
携帯端末装置３０は、図８のような情報テーブルを自身のメモリに格納している。
図８は、実施の形態２に従う携帯端末装置３０に格納された情報テーブル９１０を説明するための図である。
【００８２】
図８を参照して、携帯端末装置３０Ａのメモリ３０４Ａは、情報テーブル９１０Ａを格納しており、携帯端末装置３０Ｂのメモリ３０４Ｂは、情報テーブル９１０Ｂを格納しており、携帯端末装置３０Ｃのメモリ３０４Ｃは、情報テーブル９１０Ｃを格納している。
【００８３】
ここで、情報テーブル９１０Ａでは、空気調和機１０に運転を開始させるための制御情報（図８の「ＯＮ」）に、エアコン１０Ａを識別するための識別情報（図８の「エアコンＡ」）が関連付けられており、運転を終了させるための制御情報（図８の「ＯＦＦ」）に、「エアコンＡ」、およびエアコン１０Ｂを識別するための識別情報（図８の「エアコンＢ」）が関連付けられていることを示している。すなわち、携帯端末装置３０Ａには、運転を開始させる対象のエアコン１０として、エアコン１０Ａが関連付けられており、運転を終了させる対象のエアコン１０として、エアコン１０Ａおよび１０Ｂが関連付けられている。
【００８４】
また、情報テーブル９１０Ｂでは、運転を開始させるための制御情報（以下、「開始信号」とも称する。）に、「エアコンＡ」が関連付けられており、運転を開始させるための制御情報（以下、「終了信号」とも称する。）に、「エアコンＡ」および「エアコンＢ」が関連付けられていることを示している。情報テーブル９１０Ｃでは、開始信号に「エアコンＣ」が関連付けられており、終了信号に「エアコンＡ」および「エアコンＣ」が関連付けられていることを示している。
【００８５】
ここで、携帯端末装置３０Ａを例としてシステムの動作概要について説明する。携帯端末装置３０Ａは、特定の近距離無線基地局４０を検出すると、自動的にエアコン１０Ａに運転を開始させるための開始信号を送信する。エアコン１０Ａは、当該開始信号を受信すると、運転を開始する。ただし、エアコン１０Ａは、既に他の携帯端末装置３０から開始信号を受信することにより運転を開始している場合には、当該開始信号を受け付けなくともよい。
【００８６】
また、携帯端末装置３０Ａは、ＧＰＳ等を利用して位置情報を取得することで、自装置が予め定められたエリア内に存在しないと判断すると、自動的にエアコン１０Ａおよび１０Ｂに運転を終了させるための終了信号を送信する。エアコン１０Ａおよび１０Ｂは、終了信号に関連付けられた全ての携帯端末装置３０から終了信号を受信すると、運転を終了する。より具体的には、エアコン１０Ａは、図８に示したように、複数の携帯端末装置３０（携帯端末装置３０Ａ、３０Ｂおよび３０Ｃ）において、運転を終了させる対象のエアコンであることがわかる。したがって、エアコン１０Ａは、携帯端末装置３０Ａ、３０Ｂおよび３０Ｃの全てから終了信号を受信したときに、運転を終了する。同様に、エアコン１０Ｂは、携帯端末装置３０Ａおよび３０Ｂの両方から終了信号を受信したときに、運転を終了する。
【００８７】
これらの情報は、例えば、携帯端末装置３０におけるユーザインターフェイス画面においてユーザからの指示を受け付けることで登録される。
【００８８】
また、エアコン１０は、実施の形態１と同様に、室内の環境が予め定められた環境条件になるように冷房運転、暖房運転などを行なう。
【００８９】
上記によると、例えば、ユーザが携帯端末装置３０を携帯して会社から自宅に帰宅する場合に、自宅近傍の近距離無線基地局４０を特定の基地局として選定しておけば、ユーザが自宅近傍に来たときに、携帯端末装置３０が当該特定の基地局が検出されて、自動的に運転が開始される。そのため、ユーザは、自宅到着時には快適に過ごすことができる。また、予め定められたエリア内からユーザが出た場合には、自動的に運転が終了するため、消し忘れなどの不経済な運転を防止することもできる。
【００９０】
（変形例）
次に、空気調和システム２の動作の変形例について説明する。当該変形例では、予め定められた順に基地局を検出したときに、空気調和機１０の運転を制御するための制御情報を空気調和機１０に対して送信する点で、上記の動作とは異なる。
【００９１】
図９は、実施の形態２の変形例に従う空気調和システム２の動作概要を説明するための図である。ここでは、ユーザが携帯端末装置３０を携帯して、会社から自宅に帰宅する場面を想定する。
【００９２】
図９を参照して、会社から自宅までの帰宅経路には、近距離無線基地局４０Ａ、４０Ｂおよび４０Ｃが、この順に設置されていることがわかる。携帯端末装置３０には、ユーザによって当該順序が予め登録されている。このとき、ユーザが帰宅経路に沿って、帰宅した場合には、携帯端末装置３０は、近距離無線基地局４０Ａ、４０Ｂ、４０Ｃの順にこれらの基地局を検出する。このように、携帯端末装置３０が、予め定められた順に基地局を検出した場合には、運転を開始させる対象のエアコンに対して、運転を開始させる開始信号を送信する。一方、携帯端末装置３０が、予め定められた順に基地局を検出しなかった場合には、運転を終了させる対象のエアコンに対して、運転を終了させる終了信号を送信する。
【００９３】
上記によると、例えば、ユーザが帰宅経路に沿って帰宅した場合にのみ、自動的に運転が開始される。そのため、今からユーザが帰宅する可能性がより高い場合にのみ、運転を開始させることができ、不経済な運転を防止することができる。
【００９４】
＜Ｂ．ハードウェア構成＞
実施の形態２に従う空気調和機１０および携帯端末装置３０のハードウェア構成については、実施の形態１で説明したハードウェア構成と同様のものを採用することができるため、その詳細な説明は繰り返さない。
【００９５】
＜Ｃ．機能構成＞
（ｃ１．携帯端末装置）
図１０を参照して、実施の形態２に従う携帯端末装置３０の機能構成について説明する。
【００９６】
図１０は、実施の形態２に従う携帯端末装置３０の機能構成を示すブロック図である。
ある局面では、携帯端末装置３０は、主たる機能構成として、基地局検出部３５６と、送信制御部３６４と、位置情報取得部３６０と、位置判断部３６２とを含む。これらの機能は、基本的には、携帯端末装置３０のＣＰＵ３０２がメモリ３０４に格納されたプログラムを実行し、携帯端末装置３０の構成要素へ指令を与えることなどによって実現される。また、携帯端末装置３０は、メモリ３０４で実現される機能である基地局情報格納部３５０と、エアコン情報格納部３５２と、位置条件格納部３５４とをさらに含む。なお、これらの機能構成の一部または全部はハードウェアで実現されていてもよい。
【００９７】
基地局情報格納部３５０は、ある局面では、携帯端末装置３０のユーザによって選定された近距離無線基地局４０を示す基地局情報を格納する。ユーザは、例えば、自宅近傍に設置された近距離無線基地局４０の基地局情報が登録される。基地局情報格納部３５０は、別の局面では、後述する基地局検出部３５６によって検出される基地局の検出順序を示す情報を格納する。当該検出順序は、ユーザによって任意に設定可能である。ユーザは、例えば、自身の帰宅経路に沿って設置されている複数の基地局を選定し、当該複数の基地局の検出順序を基地局情報格納部３５０に登録する。なお、基地局情報とは、例えば、ＳＳＩＤ（Service  Set  Identifier）などの基地局を識別するための情報である。
【００９８】
エアコン情報格納部３５２は、エアコン１０の運転を制御するための制御情報に関連付けられたエアコン１０の識別情報を格納する。より具体的には、エアコン情報格納部３５２は、運転を開始させるための制御情報に関連付けられたエアコン１０の識別情報と、運転を終了させるための制御情報に関連付けられたエアコン１０の識別情報とを格納する。エアコン情報格納部３５２は、例えば、図８に示したような情報テーブル９１０を格納する。
【００９９】
位置条件格納部３５４は、予め定められた位置条件情報を格納する。例えば、ユーザは、タッチパネル３０６（またはボタン３１２）により位置条件を自宅近傍のエリア内とする位置条件情報を位置条件格納部３５４に格納する。
【０１００】
基地局検出部３５６は、基地局情報格納部３５０に格納された基地局情報に基づいて、携帯端末装置３０のユーザによって選定された基地局を検出する。より具体的には、基地局検出部３５６は、近距離無線基地局４０から送信される電波を受信する（基地局情報を受信する）ことで、当該検出を行なう。
【０１０１】
位置情報取得部３６０は、ＧＰＳコントローラ３２０を介して、携帯端末装置３０の現在の位置を示す位置情報を取得する。位置情報取得部３６０は、当該位置情報を位置判断部３６２に出力する。
【０１０２】
位置判断部３６２は、取得された位置情報と位置条件格納部３５４に格納された位置条件情報とに基づいて、予め定められた位置に携帯端末装置３０が存在するか否かを判断する。
【０１０３】
送信制御部３６４は、選定された基地局が基地局検出部３５６によって検出された場合に、運転を制御するための制御情報に関連付けられたエアコン１０に当該制御情報を送信する。また、送信制御部３６４は、ある地点（エリア）における複数の基地局がユーザによって選定されているときには、当該複数の基地局のうち、所定の数以上（例えば、２つ以上）の基地局が検出された場合に、運転を制御するための制御情報に関連付けられたエアコン１０に当該制御情報を送信してもよい。これは、ある地点（エリア）に設けられた複数の基地局がユーザによって選定されており、かつ、ユーザが当該地点に存在する場合であっても、各基地局の通信環境（電波環境）は異なることから、基地局検出部３５６が、これらの複数の基地局を常に全て検出できるとは限らないためである。例えば、一般的に、家庭内の基地局は、公共の基地局よりも電波を受信しにくく通信環境が悪い。また、送信制御部３６４は、携帯端末装置３０が予め定められた位置に存在しないとの判断結果に基づいて、運転を終了させる制御情報をエアコン１０に送信する。
【０１０４】
送信制御部３６４は、別の局面では、基地局情報格納部３５０に格納された検出順序を示す情報に基づいて、選定された基地局が予め定められた順に基地局検出部３５６によって検出されたと判断した場合に、エアコン１０の運転を開始させる制御情報をエアコン１０に送信する。なお、送信制御部３６４は、通信インターフェイス３１６を介して近距離無線基地局４０に接続することで、エアコン１０に制御情報を送信してもよいし、無線通信部３１８を介して遠距離無線基地局５０に接続することで、エアコン１０に制御情報を送信してもよい。
【０１０５】
（ｃ２．空気調和機）
図１１を参照して、実施の形態２に従う空気調和機１０の機能構成について説明する。
【０１０６】
図１１は、実施の形態２に従う空気調和機１０の機能構成を示すブロック図である。
ある局面では、実施の形態２に従う空気調和機１０は、主たる機能構成として、受信部１７２と、運転制御部１７４と、環境情報取得部１５６と、判断部１６０とを含む。空気調和機１０は、端末情報格納部１７０と、環境条件格納部１５８とをさらに含む。環境情報取得部１５６と、環境条件格納部１５８と、判断部１６０とは、実施の形態１で説明した前述の機能構成と同様であるため、その詳細な説明は繰り返さない。
【０１０７】
端末情報格納部１７０は、エアコン１０に対して運転を開始／終了させる制御情報を送信する携帯端末装置３０を識別するための端末情報を格納する。ここで、図８によると、携帯端末装置３０Ａおよび３０Ｂは、エアコン１０Ａに対して開始信号を送信し、携帯端末装置３０Ａ、３０Ｂおよび３０Ｃは、エアコン１０Ａに対して終了信号を送信していることがわかる。したがって、エアコン１０Ａは、開始信号を送信する携帯端末装置３０として携帯端末装置３０Ａおよび３０Ｂの端末情報を登録（格納）し、終了信号を送信する携帯端末装置３０として携帯端末装置３０Ａ、３０Ｂおよび３０Ｃの端末情報を登録（格納）する。同様に、エアコン１０Ｂは、終了信号を送信する携帯端末装置３０として携帯端末装置３０Ａ、３０Ｂの端末情報を登録（格納）する。なお、エアコン１０Ｂでは、開始信号を送信する携帯端末装置３０は存在しない。また、エアコン１０Ｃは、開始信号および終了信号を送信する携帯端末装置３０として携帯端末装置３０Ｃの端末情報を登録（格納）する。
【０１０８】
受信部１７２は、携帯端末装置３０から送信される制御情報を受信する。受信部１７２は、当該制御情報を運転制御部１７４に送出する。
【０１０９】
運転制御部１７４は、受信部１７２によって受信された制御情報に基づいて、エアコン１０の運転を制御する。より具体的には、運転制御部１７４は、運転を開始させる制御情報を受信した場合には、運転を開始する。また、運転制御部１７４は、端末情報に基づいて、エアコン１０に対して運転を終了させる制御情報を送信するように登録された全ての携帯端末装置３０から運転を終了させる制御情報を受信したと判断した場合に、運転を終了する。なお、運転制御部１７４は、実施の形態１における運転制御部１５４と同様に、環境条件に応じて運転を制御してもよい。
【０１１０】
＜Ｄ．処理手順＞
（ｄ１．開始処理）
まず、空気調和システム２において実行されるエアコン１０の運転の開始処理手順について説明する。
【０１１１】
図１２は、実施の形態２に従う空気調和システム２において実行されるエアコン１０の運転の開始処理手順を示すフローチャートである。以下の各ステップは、ＣＰＵ３０２がメモリ３０４に格納されたプログラムを実行するとともに、ＣＰＵ１０２がメモリ１０４に格納されたプログラムを実行することによって実現される。これは、後述する図１３および図１４に示すフローチャートにおける各ステップでも同様である。
【０１１２】
図１２を参照して、携帯端末装置３０のＣＰＵ３０２は、メモリ３０４に格納されている基地局情報に基づいて、ユーザによって選定された特定の近距離無線基地局４０が検出されたか否かを判断する（ステップＳ３０）。
【０１１３】
当該基地局が検出されていない場合には（ステップＳ３０においてＮＯ）、ＣＰＵ３０２は、ステップＳ３０の処理を繰り返す。これに対して、当該基地局が検出された場合には（ステップＳ３０においてＹＥＳ）、ＣＰＵ３０２は、エアコン１０の運転を開始させる制御情報（ＯＮ信号）をエアコン１０に送信する（ステップＳ３２）。ＣＰＵ３０２は、通信インターフェイス３１６を介して近距離無線基地局４０を経由して、または無線通信部３１８を介して遠距離無線基地局５０を経由してエアコン１０に送信する。
【０１１４】
次に、エアコン１０のＣＰＵ１０２は、携帯端末装置３０から送信されたＯＮ信号を受信する（ステップＳ３４）。ＣＰＵ１０２は、エアコン１０が既に運転を開始しているか否かを判断する（ステップＳ３６）。より具体的には、ＣＰＵ１０２は、他のエアコン１０から既にＯＮ信号を受信しているか否かを判断することで、当該判断を行なう。
【０１１５】
運転を開始していない場合には（ステップＳ３６においてＮＯ）、ＣＰＵ１０２は、エアコン１０の運転を開始して（ステップＳ３８）、処理を終了する。これに対して、運転を開始している場合には（ステップＳ３６においてＹＥＳ）、ＣＰＵ１０２は、受信したＯＮ信号を無視して（ステップＳ４０）、処理を終了する。
【０１１６】
なお、上記において、ある地点における複数の近距離無線基地局４０がユーザによって選定されているときには、ＣＰＵ３０２は、ステップＳ３０において、当該複数の基地局のうち、所定の数以上の基地局が検出されたか否かを判断してもよい。この場合、ＣＰＵ３０２は、当該所定の数以上の基地局が検出された場合には、エアコン１０の運転を開始させる制御情報（ＯＮ信号）をエアコン１０に送信し、所定の数未満の基地局しか検出されなかった場合には、ステップＳ３０の処理を繰り返す（つまり、ＯＮ信号を送信しない）。
【０１１７】
（ｄ２．終了処理）
次に、空気調和システム２において実行されるエアコン１０の運転の終了処理手順について説明する。
【０１１８】
図１３は、実施の形態２に従う空気調和システム２において実行されるエアコン１０の運転の終了処理手順を示すフローチャートである。
【０１１９】
図１３を参照して、携帯端末装置３０のＣＰＵ３０２は、携帯端末装置３０が予め定められた特定の位置（エリア）に存在するか否かを判断する（ステップＳ５０）。より具体的には、ＣＰＵ３０２は、ＧＰＳコントローラ３２０を介して携帯端末装置３０の現在の位置情報を取得して、メモリ３０４に格納された位置条件が示すエリア内に携帯端末装置３０が存在するか否かを判断する。
【０１２０】
携帯端末装置３０が当該特定の位置に存在する場合には（ステップＳ５０においてＹＥＳ）、ＣＰＵ３０２は、ステップＳ５０の処理を繰り返す。これに対して、携帯端末装置３０が当該特定の位置に存在しない場合には（ステップＳ５０においてＮＯ）、ＣＰＵ３０２は、エアコン１０の運転を終了させる制御情報（ＯＦＦ信号）をエアコン１０に送信する（ステップＳ５２）。
【０１２１】
次に、エアコン１０のＣＰＵ１０２は、携帯端末装置３０から送信されたＯＦＦ信号を受信する（ステップＳ５４）。ＣＰＵ１０２は、メモリ１０４を参照して、エアコン１０に対してＯＦＦ信号を送信するように登録された全ての携帯端末装置３０から運転を終了させる制御情報を受信したか否かを判断する（ステップＳ５６）。
【０１２２】
受信していない場合には（ステップＳ５６においてＮＯ）、ＣＰＵ１０２は、ステップＳ５６の処理を繰り返す。これに対して、受信した場合には（ステップＳ５６においてＹＥＳ）、ＣＰＵ１０２は、エアコン１０の運転を終了する（ステップＳ５８）。
【０１２３】
（ｄ３．変形例における運転制御処理）
図１４は、実施の形態２の変形例に従う空気調和システム２において実行されるエアコン１０の運転制御処理を示すフローチャートである。
【０１２４】
図１４を参照して、携帯端末装置３０のＣＰＵ３０２は、携帯端末装置３０が予め定められた順序で、ユーザによって選定された近距離無線基地局４０を検出したか否かを判断する（ステップＳ７０）。予め定められた順序で近距離無線基地局４０が検出された場合には（ステップＳ７０においてＹＥＳ）、ＣＰＵ３０２は、ＯＮ信号をエアコン１０に送信する（ステップＳ７２）。これに対して、予め定められた順序で近距離無線基地局４０が検出されなかった場合には（ステップＳ７０においてＮＯ）、ＣＰＵ３０２は、ＯＦＦ信号をエアコン１０に送信する（ステップＳ７４）。
【０１２５】
次に、エアコン１０のＣＰＵ１０２は、通信インターフェイス１１０を介して制御信号（ＯＮ信号またはＯＦＦ信号）を受信する（ステップＳ７６）。ＣＰＵ１０２は、ＯＮ信号を受信したか否かを判断する（ステップＳ７８）。
【０１２６】
ＯＮ信号を受信していない（すなわち、ＯＦＦ信号を受信している）場合には（ステップＳ７８においてＮＯ）、ＣＰＵ１０２は、ステップＳ８６以降の処理を実行する。ステップＳ８６以降の処理については後述する。これに対して、ＯＮ信号を受信している場合には（ステップＳ７８においてＹＥＳ）、ＣＰＵ１０２は、エアコン１０が既に運転を開始しているか否かを判断する（ステップＳ８０）。
【０１２７】
運転を開始していない場合には（ステップＳ８０においてＹＥＳ）、ＣＰＵ１０２は、エアコン１０の運転を開始して（ステップＳ８４）。処理を終了する。これに対して、運転を開始している場合には（ステップＳ８４においてＹＥＳ）、ＣＰＵ１０２は、受信したＯＮ信号を無視して（ステップＳ８４）、処理を終了する。
【０１２８】
次に、ステップＳ８６以降の処理について説明する。
ＯＮ信号を受信していない（すなわち、ＯＦＦ信号を受信している）場合には（ステップＳ７８においてＮＯ）、ＣＰＵ１０２は、エアコン１０が既に運転を開始しているか否かを判断する（ステップＳ８６）。
【０１２９】
運転を開始していない場合には（ステップＳ８６においてＮＯ）、ＣＰＵ１０２は、処理を終了する。これに対して、運転を開始している場合には（ステップＳ８６においてＹＥＳ）、ＣＰＵ１０２は、メモリ１０４を参照して、エアコン１０に対してＯＦＦ信号を送信するように登録された全ての携帯端末装置３０から運転を終了させる制御情報を受信したか否かを判断する（ステップＳ８８）。
【０１３０】
ＣＰＵ１０２は、当該制御情報を受信していない場合には（ステップＳ８８においてＮＯ）、ステップＳ８８の処理を繰り返す。これに対して、ＣＰＵ１０２は、当該制御情報を受信した場合には（ステップＳ８８においてＹＥＳ）、エアコン１０の運転を終了する（ステップＳ９０）。
【０１３１】
なお、変形例においても、上記の（ｄ２．終了処理）で説明したような終了処理を実行してもよい。
【０１３２】
＜Ｅ．利点＞
実施の形態２によると、携帯端末装置のユーザは、自宅近傍のアクセスポイントを特定の基地局として選定しておけば、帰宅の際に携帯端末装置が当該基地局を検出した場合などに、エアコンが自動的に運転を開始するため、操作の手間を省くとともに自宅到着時には快適に過ごすことができる。また、特定のエリアからユーザが出た場合には、自動的に運転が終了するため、消し忘れなどの不経済な運転を防止することもできる。
【０１３３】
また、別の局面では、ユーザが予め定められた帰宅経路に沿って帰宅した場合にのみ、自動的に運転が開始される。そのため、今からユーザが帰宅する可能性がより高い場合にのみ、運転を開始させることができ、より精度の良い運転制御を実現することができる。
【０１３４】
［３．その他の実施の形態］
コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１３５】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１３６】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１３７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１３８】
１，２  空気調和システム、１０  空気調和機、２０  通信装置、３０  携帯端末装置、４０近距離無線基地局、５０  遠距離無線基地局、６０  インターネット、１０４，３０４  メモリ、１０６  タイマー、１０８  入力装置、１１０，３１６  通信インターフェイス、１１２  外気温度センサ、１１４  室内温度センサ、１１６  湿度センサ、１１８  ルーバ部、１２０  室外機通信部、１２２  室外機、１５０，１７０  端末情報格納部、１５２  検出部、１５４，１７４  運転制御部、１５６  環境情報取得部、１５８  環境条件格納部、１６０  判断部、１７２  受信部、３０６  タッチパネル、３０８  ディスプレイ、３１０  スピーカ、３１２  ボタン、３１４  メモリインターフェイス、３１５  記憶媒体、３１８  無線通信部、３１９  通信アンテナ、３２０  コントローラ、３５０  基地局情報格納部、３５２  エアコン情報格納部、３５４  位置条件格納部、３５６  基地局検出部、３６０  位置情報取得部、３６２  位置判断部、３６４  送信制御部。
【図１】
2014086944.tif 000003
【図２】
2014086944.tif 000004
【図３】
2014086944.tif 000005
【図４】
2014086944.tif 000006
【図５】
2014086944.tif 000007
【図６】
2014086944.tif 000008
【図７】
2014086944.tif 000009
【図８】
2014086944.tif 000010
【図９】
2014086944.tif 000011
【図１０】
2014086944.tif 000012
【図１１】
2014086944.tif 000013
【図１２】
2014086944.tif 000014
【図１３】
2014086944.tif 000015
【図１４】
2014086944.tif 000016